(57)【特許請求の範囲】
【請求項１】
建物の壁体に設けられる持出し部の支持構造であって、
縦桟を含む壁体と、
前記壁体から突出して、横方向に延びる持出し部と、
前記縦桟に固定されるとともに、前記持出し部を支持する支持具とを備え、
前記支持具は、正面視において前記縦桟の側部と固定される縦桟固定部と、前記縦桟固定部と連なる横桟固定部と、前記横桟固定部と連なり、かつ前記壁体と反対側に延在する腕部とを含み、
前記持出し部は、複数の部材が接続されてなる横桟を含み、
前記横桟の接続部分において、一方は前記支持具の前記横桟固定部に固定され、他方は前記縦桟に固定される、持出し部の支持構造。
【請求項２】
前記壁体は、前記縦桟と前記横桟との間に設けられたボードをさらに含み、
前記持出し部は、前記横桟上に設けられた上板部と、前記横桟下に設けられた下板部と、前記上板部及び前記下板部の前端と連結され、前記壁体と間隔を隔てて設けられた前板部とをさらに含む、請求項１に記載の持出し部の支持構造。
【請求項３】
前記持出し部は、前記壁体と間隔を隔てて設けられる第２の横桟をさらに含む、請求項１または２に記載の持出し部の支持構造。
【請求項４】
前記第２の横桟は、複数の部材が接続されてなり、
前記腕部は、前記第２の横桟を固定するための載置部を有し、
前記第２の横桟の複数の部材は、前記載置部上で接続される、請求項３に記載の持出し部の支持構造。
【請求項５】
前記縦桟固定部と、前記横桟固定部とは、側面視において略Ｌ字状であり、
前記腕部は、前記横桟固定部と同一平面上に連なる平板部をさらに有し、
前記載置部は、前記平板部から水平方向に延出する、請求項４に記載の持出し部の支持構造。
【請求項６】
前記持出し部には、照明器具が載置される、請求項１〜５のいずれか１項に記載の持出し部の支持構造。
【発明の詳細な説明】
【技術分野】
【０００１】
本発明は、持出し部の支持構造に関する。
【背景技術】
【０００２】
従来より、建物の壁体から持出した造作棚などの持出し部が知られている。この持出し部に照明器具を設置して、コーブ照明とする技術が、例えば、特開２０１４−１４５１６４号公報（特許文献１）に開示されている。
【０００３】
特許文献１には、コーブを形成するコーブ形成部と、壁部に取り付けられ、コーブ形成部を支持する支持ブラケットとを備え、支持ブラケットは、壁部に固定された壁固定部と、壁固定部から壁部と反対側に向けて延びる腕木部とを有し、コーブ形成部は、壁面に沿って延びる幕板部と、腕木部を上方及び下方から覆う被覆部とを有している建物の内部構造が開示されている。特許文献１の建物の内装構造によれば、被覆部が支持ブラケットの腕木部を上下方向から覆っているため、人の視界に腕木部が入ることを被覆部が抑制するので、意匠性を好適にできることが開示されている。
【先行技術文献】
【特許文献】
【０００４】
【特許文献１】特開２０１４−１４５１６４号公報
【発明の概要】
【発明が解決しようとする課題】
【０００５】
上記特許文献１では、支持ブラケットの壁固定部は、壁部の正面に固定され、支持ブラケットの腕木部は、被覆部の上板部及び下板部を連結する連結部に固定されている。特許文献１の建物の内装構造と異なり、持出し部に横桟を用いる構造において、壁体に追加する下地材を少なく、または、壁体に下地材を追加することなく持出し部を支持する構造を本発明者は検討し、これを課題とした。
【０００６】
このように、本発明は、壁体内に取り付けられる下地材を削減した持出し部の支持構造を提供することを課題とする。
【課題を解決するための手段】
【０００７】
本発明の持出し部の支持構造は、建物の壁体に設けられる持出し部の支持構造であって、縦桟を含む壁体と、記壁体から突出して、横方向に延びる持出し部と、縦桟に固定されるとともに、持出し部を支持する支持具とを備えている。支持具は、正面視において縦桟の側部と固定される縦桟固定部と、この縦桟固定部と連なる横桟固定部と、この横桟固定部と連なり、かつ壁体と反対側に延在する腕部とを含んでいる。持出し部は、複数の部材が接続されてなる横桟を含んでいる。横桟の接続部分において、一方は支持具の横桟固定部に固定され、他方は縦桟に固定されている。
【０００８】
本発明の持出し部の支持構造において好ましくは、壁体は、縦桟と横桟との間に設けられたボードをさらに含み、持出し部は、横桟上に設けられた上板部と、横桟下に設けられた下板部と、上板部及び下板部の前端と連結され、壁体と間隔を隔てて設けられた前板部とをさらに含んでいる。
【０００９】
本発明の持出し部の支持構造において好ましくは、持出し部は、壁体と間隔を隔てて設けられる第２の横桟をさらに含んでいる。
【００１０】
本発明の持出し部の支持構造において好ましくは、第２の横桟は、複数の部材が接続されてなり、腕部は、第２の横桟を固定するための載置部を有し、第２の横桟の複数の部材は、載置部上で接続される。
【００１１】
本発明の持出し部の支持構造において好ましくは、縦桟固定部と横桟固定部とは、側面視において略Ｌ字状であり、腕部は、横桟固定部と同一平面上に連なる平板部をさらに有し、載置部は、平板部から水平方向に延出している。
【００１２】
本発明の持出し部の支持構造において好ましくは、持出し部には、照明器具が載置される。
【発明の効果】
【００１３】
本発明は、壁体内に取り付けられる下地材を削減した持出し部の支持構造を提供できる。
【図面の簡単な説明】
【００１４】
【図１】本発明の実施の形態１における持出し部の支持構造を概略的に示す正面図である。
【図２】本発明の実施の形態１における持出し部の支持構造を概略的に示す断面図である。
【図３】本発明の実施の形態１における持出し部の支持構造を概略的に示す斜視図であり、ボード、前板部及び下板部を省略している図である。
【図４】本発明の実施の形態１における持出し部の支持構造を構成する支持具を概略的に示す斜視図である。
【図５】本発明の実施の形態１における持出し部の支持構造の施工方法を説明するための図であり、縦桟に支持具を取り付けた状態を概略的に示す正面図である。
【図６】図５における側面図である。
【図７】図５及び図６の状態からボードをさらに取り付けた状態を概略的に示す断面であり、図６と同様の位置からの断面である。
【図８】図７の状態から第１の横桟をさらに取り付けた状態を概略的に示す平面図である。
【図９】図８における線分ＩＸ−ＩＸに沿った断面図である。
【図１０】図８及び図９の状態から上板部をさらに取り付けた状態を概略的に示す断面図である。
【図１１】図１０の状態から第２の横桟をさらに取り付けた状態を概略的に示す平面図である。
【図１２】図１１における矢印ＸＩＩから見た時の正面図である。
【図１３】図１１における線分ＸＩＩＩ−ＸＩＩＩに沿った断面図である。
【図１４】図１１〜図１３の状態から第３の横桟をさらに取り付けた状態を概略的に示す正面図である。
【図１５】図１４における線分ＸＶ−ＸＶに沿った断面図である。
【図１６】図１４及び図１５の状態から下板部をさらに取り付けた状態を概略的に示す断面図である。
【図１７】本発明の実施の形態２における持出し部の支持構造を概略的に示す斜視図であり、ボード、前板部及び下板部を省略している図である。
【図１８】本発明の実施の形態２における持出し部の支持構造を構成する支持具を概略的に示す斜視図である。
【図１９】本発明の実施の形態３における持出し部の支持構造を概略的に示す斜視図であり、ボード、前板部及び下板部を省略している図である。
【図２０】本発明の実施の形態３における持出し部の支持構造を構成する支持具を概略的に示す斜視図である。
【発明を実施するための形態】
【００１５】
以下、図面に基づいて本発明の実施の形態を説明する。なお、以下の図面において同一または相当する部分には同一の参照符号を付しその説明は繰り返さない。
【００１６】
（実施の形態１）
図１〜図１６を参照して、本発明の一実施形態の持出し部の支持構造について説明する。なお、本実施の形態では、天井５側を上（図１及び図２における上）、床６側を下（図１及び図２における下）、壁体１０側を後（図１における紙面奥、図２における右）、持出し部２０側を前（図１における紙面手前、図２における左）としている。つまり、上下方向とは鉛直方向であり、左右方向とは水平方向である。本明細書では、上下方向を縦方向とも言い、左右方向を横方向とも言う。
【００１７】
図１〜図３に示すように、本実施の形態の持出し部の支持構造１は、建物の壁体１０に設けられる持出し部２０を支持する構造である。建物の壁体１０は室内であってもよく、室外であってもよいが、図１では室内の部屋を構成する内壁の天井近傍から、造作棚である持出し部２０が突出している。
【００１８】
持出し部の支持構造１は、壁体１０と、この壁体１０から突出して、横方向に延びる持出し部２０と、壁体１０に設けられるとともに、持出し部２０を支持する支持具３０とを備えている。
【００１９】
図２に示すように、壁体１０は、縦桟１１と、ボード１２とを含む。縦桟１１は、壁体１０を構成し、柱などを含む。この縦桟１１は、上下方向に延在し、互いに間隔を隔てて複数配置されている。この縦桟１１の前に、ボード１２が設けられている。詳細には、図２及び図３に示すように、ボード１２は、持出し部２０を構成する第１の横桟２１と、縦桟１１との間に設けられ、壁体１０の壁面を構成する。ボード１２は、例えば石膏ボードである。
【００２０】
壁体１０を構成する縦桟１１に、図４に示す支持具３０が固定されている。支持具３０は、縦桟固定部３１と、横桟固定部３２と、腕部３３とを含んでいる。縦桟固定部３１と横桟固定部３２と腕部３３とは、一体成形されていてもよく、分離した部材が連結されていてもよい。
【００２１】
図２及び図３に示すように、縦桟固定部３１は、正面視において縦桟１１の側部１１ａと固定される。側部１１ａとは、前方から見たときに見える正面１１ｂ（図３参照）と連なる面の少なくとも一部を含む部分であり、正面視において視認されない部分（図３では四角柱の縦桟１１の側面）である。縦桟固定部３１には、ビスなどの固定具を用いて縦桟１１と連結されるために、固定具を通す貫通孔３１ａが設けられている。この貫通孔３１ａは、図４では上下方向に複数形成されているが、前後方向に複数設けられていてもよく、１つであってもよい。
【００２２】
横桟固定部３２は、この縦桟固定部３１と連なり、持出し部２０を構成する第１の横桟２１（図３では第１の横桟２１の第２の部材２１ｂ）と固定される。横桟固定部３２は、縦桟固定部３１とで、側面視において略Ｌ字状をなす。横桟固定部３２には、ビスなどの固定具を用いて第１の横桟２１と連結されるために、固定具を通す貫通孔３２ａが設けられている。図４では貫通孔３２ａが１つであるが、貫通孔３２ａの数は複数であってもよい。
【００２３】
腕部３３は、この横桟固定部３２と連なり、壁体１０と反対側に延在している。腕部３３は、平板部３４と、載置部３５とを有している。平板部３４は、横桟固定部３２と同一平面上に連なる。平板部３４と横桟固定部３２とで形成される平板は、縦桟固定部３１とで側面視において略Ｌ字状をなす。この平板部３４の上端から水平方向に延出するように載置部３５が形成されている。載置部３５は、持出し部２０を構成する第２の横桟２２を載置する。このため、載置部３５には、ビスなどの固定具を用いて第２の横桟２２と連結されるために、第１及び第２の貫通孔３５ａ、３５ｂが設けられている。この第１及び第２の貫通孔３５ａ、３５ｂは、横方向に複数形成されている。第２の横桟２２が複数の部材からなる場合、複数の貫通孔の少なくとも１つの貫通孔３５ａは第１の部材２２ａを固定し、複数の貫通孔の他の少なくとも１つの貫通孔３５ｂは第２の部材２２ｂを固定する。
【００２４】
この支持具３０は、持出し部２０を支持する。持出し部２０は、壁体１０と間隔を隔てて前方に突出し、壁体１０の壁面に沿って左右方向に延在している。持出し部２０は、壁体１０に片側支持され、壁体１０から持ち出された棚であり、天井５近くの壁体に設けられていてもよく、床６近くの壁体に設けられていてもよい。持出し部２０は、第１の横桟２１と、第２の横桟２２と、第３の横桟２３と、上板部２４と、下板部２５と、前板部２６とを含んでいる。
【００２５】
第１の横桟２１は、ボード１２を介して縦桟１１と対向するように配置され、水平方向に延在している。図３に示すように、第１の横桟２１は、複数の部材が接続されてなり、具体的には、縦桟１１に連結される第１の部材２１ａと、支持具３０に連結される第２の部材２１ｂとを含んでいる。第１の横桟２１の接続部分において、一方は支持具３０の横桟固定部３２に固定され、他方は縦桟１１に固定される。具体的には、第１の部材２１ａと縦桟１１とは、前後方向に延びる固定具により連結され、第２の部材２１ｂと支持具３０の横桟固定部３２とは左右方向に延びる固定具により連結される。横桟固定部３２と連結される第１の横桟２１の第２の部材２１ｂは、側方に位置する面から連結されている。なお、図３においては、第１の部材２１ａの一端が縦桟１１と連結され、第２の部材２１ｂの他端が支持具３０と連結されているが、第１の部材２１ａの他端は別の支持具と連結されていてもよく、第２の部材２１ｂの他端は別の縦桟と連結されていてもよい。
【００２６】
第２の横桟２２は、壁体１０と間隔を隔てて設けられ、支持具３０の載置部３５上に載置され、水平方向に延在している。第２の横桟２２は、複数の部材が接続されてなり、支持具３０の載置部３５上で接続されている。具体的には、図３に示すように、第２の横桟２２は、載置部３５の第１の貫通孔３５ａに固定される第１の部材２２ａと、第２の貫通孔３５ｂに固定される第２の部材２２ｂとを含んでいる。第１の部材２２ａと第２の部材２２ｂとの継ぎ目は、載置部３５の２つの貫通孔３５ａ、３５ｂの中間であり、載置部３５には第１の部材２２ａ及び第２の部材２２ｂの両方が載置されているので、第１の部材２２ａと第２の部材２２ｂとを用いることによる横方向の撓みや垂れを防止でき、精度を向上できる。
【００２７】
第３の横桟２３は、第２の横桟２２の下に配置され、水平方向に延在している。第３の横桟２３は、複数の部材で構成されており、具体的には、図３に示すように、第２の横桟２２の第１の部材２２ａと連結される第１の部材２３ａと、第２の横桟２２の第２の部材２２ｂと連結される第２の部材２３ｂとを含んでいる。第２の横桟２２の第１の部材２２ａと第３の横桟２３の第１の部材２３ａとは、上下方向に延びる固定具により連結され、第２の横桟２２の第２の部材２２ｂと第３の横桟２３の第２の部材２３ｂとは上下方向に延びる固定具により連結されている。図３では第３の横桟２３の第１の部材２３ａと第２の部材２３ｂとは支持具３０を避けて配置されているが、第２の部材２３ｂの端部を支持具３０に合わせた形状として、支持具３０の平板部３４と第２の部材２３ｂとが接するように配置されてもよい。第３の横桟２３の第１の部材２３ａと第２の部材２２ｂとの継ぎ目は、第２の横桟２２の第１の部材２２ａと第２の部材２２ｂとの継ぎ目と、横方向において異なる位置である。
【００２８】
上板部２４は、第１の横桟２１及び第３の横桟２３上であって、第２の横桟２２下に設けられている。図２に示すように、上板部２４は、ボード１２から前方に突出して横方向に延びている。上板部２４は、第１の横桟２１及び第３の横桟２３を被覆している。本実施の形態の持出し部２０においては、上板部２４の上に照明器具などの載置物を載置可能に構成されている。
【００２９】
下板部２５は、第１の横桟２１及び第３の横桟２３下に設けられている。下板部２５は、ボード１２から前方に突出して横方向（上板部２４と平行）に延びている。下板部２５は、第１の横桟２１及び第３の横桟２３を被覆している。
【００３０】
前板部２６は、上板部２４及び下板部２５の前端と連結され、壁体１０と間隔を隔てて設けられている。前板部２６は、第２の横桟２２及び第３の横桟２３を被覆している。
【００３１】
上板部２４、下板部２５及び前板部２６は、持出し部２０の外観を構成し、視認される部分である。上板部２４、下板部２５及び前板部２６は、例えば石膏ボード、木質ボードなどである。
【００３２】
続いて、図１〜図１６を参照して、本実施の形態の持出し部の支持構造１の施工方法について説明する。
【００３３】
まず、図５及び図６に示すように、壁体を構成する縦桟１１の側部１１ａと、支持具３０の縦桟固定部３１とを連結する。この工程では、縦桟固定部３１の貫通孔３１ａ（図４参照）に固定具を挿通して、縦桟１１と縦桟固定部３１とを連結する。この工程により、縦桟１１と支持具３０とを固定することができる。
【００３４】
次に、図７に示すように、壁体の壁面となるボード１２を縦桟１１の前に配置する。この工程では、例えば、予め支持具３０の腕部３３及び横桟固定部３２が貫通するような貫通穴をボード１２に形成し、その貫通穴を腕部３３及び横桟固定部３２に挿通する。この工程により、縦桟１１前にボード１２を取り付けることで、壁体１０の壁面を形成することができる。
【００３５】
次に、図８及び図９に示すように、第１の横桟２１の第２の部材２２ｂを支持具３０の横桟固定部３２に連結するとともに、第１の横桟２１の第１の部材２１ａを縦桟１１に連結する。この工程では、支持具３０の横桟固定部３２の貫通孔３２ａに固定具を挿通して、第１の横桟２１の第２の部材２１ｂを支持具３０に連結する。このため、第１の横桟２１の第２の部材２２ｂは、支持具３０を介して縦桟１１に連結される。また、第１の横桟２１の第１の部材２１ａを前方から固定具を用いて縦桟１１に連結する。このため、第１の横桟２１の第１の部材２１ａは、直接縦桟１１に連結される。この工程により、第１の部材２１ａ及び第２の部材２１ｂを含む第１の横桟２１を縦桟１１に固定することができる。
【００３６】
次に、図１０に示すように、第１の横桟２１及び支持具３０の載置部３５上に、上板部２４を配置する。この工程では、第１の横桟２１と上板部２４とを固定具を用いて連結する。
【００３７】
次に、図１１〜図１３に示すように、上板部２４の前端部上に、第２の横桟２２を配置する。この工程では、図１１に示すように、支持具３０の載置部３５の第１の貫通孔３５ａ上に第１の部材２２ａを配置し、第２の貫通孔３５ｂ上に第２の部材２２ｂを配置する。そして、図１２に示すように、下方から固定具を第１の貫通孔３５ａに挿通させて第１の部材２２ａと支持具３０とを連結し、下方から固定具を第２の貫通孔３５ｂに挿通させて第２の部材２２ｂと支持具３０とを連結する。この工程により、第２の横桟２２と支持具３０とを連結することができる。なお、第２の横桟２２が１つの部材である場合には、第１及び第２の貫通孔３５ａ、３５ｂに固定具を挿通してその１つの部材と連結してもよく、貫通孔が１つの載置部を用いてもよい。
【００３８】
次に、図１４及び図１５に示すように、上板部２４の前端部下に、第３の横桟２３を配置する。この工程では、第２の横桟２２の第１の部材２２ａ下に、第３の横桟２３の第１の部材２３ａを配置して、下方から固定具を用いて第２及び第３の横桟２２、２３の第１の部材２２ａ、２３ａを連結する。また、第２の横桟２２の第２の部材２２ｂ下に第３の横桟２３の第２の部材２３ｂを配置して、下方から固定具を用いて第２及び第３の横桟２２、２３の第２の部材２２ｂ、２３ｂを連結する。この工程により、支持具３０と固定された第２の横桟２２と第３の横桟２３とを固定することができる。
【００３９】
次に、図１６に示すように、第２の横桟２２及び第３の横桟２３下に、下板部２５を配置する。この工程では、第３の横桟２３と下板部２５とを固定具を用いて連結する。この工程により、支持具３０と第２の横桟２２を介して固定された第３の横桟２３と、下板部２５とを固定することができる。
【００４０】
次に、図２に示すように、下板部２５と、この下板部２５上に配置された第３の横桟２３と、この第３の横桟２３上に配置された上板部２４と、この上板部２４上に配置された第２の横桟２２との前端に、前板部２６を配置する。この工程では、下板部２５、上板部２４、第２の横桟２２及び第３の横桟２３の少なくともいずれかと、前板部２６とを固定具を用いて連結する。
【００４１】
以上の工程を実施することにより、建物の壁体１０から前方に突出して横方向に延びる持出し部２０を支持具３０を介して壁体１０に取り付けることができるので、図１〜図３に示す持出し部の支持構造１を施工することができる。なお、工程順は、上記説明に限定されず、任意の順序を選択できる。
【００４２】
以上説明したように、本実施の形態の持出し部の支持構造１は、縦桟１１を含む壁体１０と、壁体１０から突出して、横方向に延びる持出し部２０と、縦桟１１に固定されるとともに、持出し部２０を支持する支持具３０とを備え、支持具３０は、正面視において縦桟１１の側部１１ａと固定される縦桟固定部３１と、この縦桟固定部３１と連なる横桟固定部３２と、この横桟固定部３２と連なり、かつ壁体１０と反対側に延在する腕部３３とを含み、持出し部２０は、複数の部材が接続されてなる第１の横桟２１を含み、第１の横桟２１の接続部分において、一方（第２の部材２１ｂ）は支持具３０の横桟固定部３２に固定され、他方（第１の部材２１ａ）は縦桟１１に固定される。
【００４３】
本発明者は、持出し部２０の下地材である第１の横桟２１を縦桟１１近傍に配置した構造において、壁体１０内に下地材を追加することなく持出し部２０を支持する構造を鋭意検討した結果、第１の横桟２１の１つの部材を支持具３０の横桟固定部３２に固定し、他の部材を縦桟１１に固定して、複数の部材を接続することに想到した。このように、壁体１０手前の第１の横桟２１の接続部分において、それぞれの部材を異なる箇所に固定することで、壁体１０内に別の桟などの下地材を追加する必要がない。つまり、通常の縦桟１１の配置のみで第１の横桟２１を取り付けることができる。このため、壁体１０内に下地材の取り付けを要せずに、持出し部２０を支持することができる。したがって、本実施の形態の持出し部の支持構造１は、壁体内に取り付けられる下地材を削減できるので、手間を低減することができる。
【００４４】
ここで、本実施の形態では、壁体に追加する下地材を追加することなく持出し部を支持する構造を例に挙げて説明したが、本発明は、壁体内に少ない下地材を追加して持出し部を支持してもよい。つまり、本発明は、壁体に追加する下地材を少なくして持出し部を支持する構造と、壁体に下地材を追加することなく持出し部を支持する構造とを含む。
【００４５】
なお、支持具３０の縦桟固定部３１は縦桟１１の側部１１ａと連結されるので、外観上、視認されにくい。したがって、意匠性を向上することができる。
【００４６】
本実施の形態の持出し部の支持構造１において好ましくは、壁体１０は、縦桟１１と第１の横桟２１との間に設けられ、壁体１０を構成するボード１２をさらに含み、持出し部２０は、第１の横桟２１上に設けられた上板部２４と、第１の横桟２１下に設けられた下板部２５と、上板部２４及び下板部２５の前端と連結され、壁体１０と間隔を隔てて設けられた前板部２６とをさらに含んでいる。
【００４７】
支持具３０の横桟固定部３２及び腕部３３上には上板部２４が配置され、横桟固定部３２及び腕部３３の下には下板部２５が配置され、腕部３３の前には前板部２６が配置されているので、支持具３０の横桟固定部３２及び腕部３３は外観上、視認されない。そして、ボード１２により、支持具３０がより視認されにくくなるので、意匠性をより向上することができる。したがって、持出し部２０の位置によらずに、支持具３０を視界から隠すことができるので、意匠性を向上することができる。
【００４８】
本実施の形態の持出し部の支持構造１において好ましくは、持出し部２０は、壁体１０と間隔を隔てて設けられる第２の横桟２２をさらに含んでいる。本実施の形態の持出し部の支持構造１では、持出し部２０は、前板部２６と連結され、かつ上板部２４上に設けられた第２の横桟２２と、前板部２６と連結され、かつ上板部２４と下板部２５との間に設けられた第３の横桟２３とをさらに含んでいる。
【００４９】
これにより、持出し部２０の外観を構成する上板部２４、下板部２５及び前板部２６を備える持出し部の支持構造１を容易に実現できる。
【００５０】
本実施の形態の持出し部の支持構造１において好ましくは、第２の横桟は、複数の部材が接続されてなり、腕部３３は、第２の横桟２２を固定するための載置部３５を有し、第２の横桟２２の複数の部材は、載置部３５上で接続される。具体的には、載置部３５は、第２の横桟２２の第１の部材２２ａを固定するための第１の貫通孔３５ａと、第２の横桟２２の第２の部材２２ｂを固定するための第２の貫通孔３５ｂとを有している。
【００５１】
これにより、持出し部２０が横方向に長く、複数の部材からなる第２の横桟２２を用いる場合であっても、複数の部材を載置部３５上で接続できるので、接続部分において持出し部２０に垂れが発生することを抑制できる。したがって、本実施の形態の持出し部の支持構造１は、横方向のスパンが長い持出し部２０、重量の重い持出し部２０を支持する支持構造に特に効果的である。
【００５２】
本実施の形態の持出し部の支持構造１において好ましくは、縦桟固定部３１と、横桟固定部３２とは、側面視において略Ｌ字状であり、腕部３３は、横桟固定部３２と同一平面上に連なる平板部３４をさらに有し、載置部３５は、平板部３４から水平方向に延出している。
【００５３】
これにより、第２の横桟２２の接続部分において垂れが発生することを抑制できる構造を容易に実現できる。
【００５４】
本実施の形態における持出し部の支持構造１は、上述したように、壁体１０内に要する下地材が少ない、または、下地材を必要としない省施工が可能であり、省施工であっても持出し部２０に種々のものを載置可能である。したがって、持出し部の支持構造１は、例えば、持出し部２０に照明器具が載置される建築化照明に好適に用いられる。
【００５５】
（実施の形態２）
本実施の形態の持出し部の支持構造２は、実施の形態１の持出し部の支持構造１と基本的には同様の構成を備えているが、支持具４０の形状において異なっている。
【００５６】
具体的には、本実施の形態の支持具４０は、図１７及び図１８に示すように、縦桟固定部３１と、横桟固定部３２と、腕部４３とを含んでいる。縦桟固定部３１と横桟固定部３２と腕部４３とは、一体成形されていてもよく、分離した部材が連結されていてもよい。
【００５７】
縦桟固定部３１は、略Ｌ字状であり、実施の形態１と同様に縦桟１１と連結する固定具を通す貫通孔３１ａが設けられている。縦桟固定部３１の縦桟１１と反対側の端部から、横方向に延出するように、横桟固定部３２が設けられている。つまり、横桟固定部３２は、縦桟１１から前方に突出した位置に配置されている。この横桟固定部３２には、第１の横桟２１を固定するために貫通孔３２ａが設けられている。この貫通孔３２ａは、図１７では、横方向に複数形成されているが、１つであってもよい。第１の横桟２１の第２の部材２１ｂは、前方から固定具を介して横桟固定部３２と連結されている。
【００５８】
この横桟固定部３２と連なり、壁体１０と反対側に延出するように腕部４３が設けられている。腕部４３は、載置部３５と、側部３６と、前部３７とを有している。載置部３５は、横桟固定部３２の上端から前方に向けて延出している。載置部３５には、第２の横桟２２の第１の部材２２ａを固定するための第１の貫通孔３５ａと、第２の横桟２２の第２の部材２２ｂを固定するための第２の貫通孔３５ｂとが形成されている。側部３６は、この載置部３５における縦桟固定部３１側の端部から下方に延出し、縦桟固定部３１及び横桟固定部３２と連なっている。前部３７は、載置部３５の前端から下方に延出している。
【００５９】
以上説明したように、実施の形態２の持出し部の支持構造２は、図１８に示すような支持具４０を用いて、持出し部２０を支持している。このように、本発明の持出し部の支持構造において、支持具４０の横桟固定部３２と連結される第１の横桟２１の第２の部材２１ｂは、前方に位置する支持具４０の横桟固定部３２から連結されてもよい。つまり、図３に示すように第１の横桟２１の側面から支持具３０で固定されてもよく、図１７に示すように第１の横桟２１の正面から支持具４０で固定されてもよい。本実施の形態の持出し部の支持構造２においても、壁体１０手前の第１の横桟２１の接続部分において、それぞれの部材を縦桟１１及び支持具４０の横桟固定部３２に固定することで、壁体１０内に別の桟など追加する下地材を削減することができる。また、本実施の形態の持出し部の支持構造２においても、縦桟固定部３１は、正面視において縦桟１１の側部１１ａと連結されているので、意匠性を向上することができる。
【００６０】
（実施の形態３）
本実施の形態の持出し部の支持構造３は、実施の形態１の持出し部の支持構造１と基本的には同様の構成を備えているが、支持具５０の形状及び持出し部２０の構成部材において異なっている。
【００６１】
具体的には、本実施の形態の支持具５０は、図１９及び図２０に示すように、縦桟固定部３１と、横桟固定部３２と、腕部５３とを含んでおり、縦桟固定部３１と横桟固定部３２と腕部５３とは、一体成形されていてもよく、分離した部材が連結されていてもよい。縦桟固定部３１、横桟固定部３２、腕部５３の平板部３４は、実施の形態１の支持具３０と同様であり、腕部５３の載置部５５が平板部３４の下端から水平方向に延出するように形成されている点において異なっている。載置部５５には、第２の横桟２２と連結するために、第１及び第２の貫通孔５５ａ、５５ｂが形成されている。
【００６２】
載置部５５の前端上には、第２の横桟２２が載置される。第２の横桟２２の第１の部材２２ａは、第１の貫通孔３５ａで固定され、第２の横桟２２の第２の部材２２ｂは、第２の貫通孔５５ａで固定される。平板部３４の高さ（平板部３４の上端と載置部５５との距離）は、第２の横桟２２の高さと略同じである。第２の横桟２２の上面及び平板部３４上には、上板部２４が設けられる。載置部５５の下面には、下板部２５が設けられる。第２の横桟２２前には、前板部２６が設けられる。
【００６３】
以上説明したように、実施の形態３の持出し部の支持構造３は、図２０に示すような支持具５０を用いて、持出し部２０を支持している。このため、実施の形態３の持出し部の支持構造３は、第３の横桟２３を省略できるので、手間をさらに低減することができる。
【００６４】
今回開示された実施の形態はすべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【００６５】
１，２  支持構造、５  天井、６  床、１０  壁体、１１  縦桟、１１ａ，３６  側部、１１ｂ  正面、１２  ボード、２０  持出し部、２１  第１の横桟、２１ａ，２２ａ，２３ａ  第１の部材、２１ｂ，２２ｂ，２３ｂ  第２の部材、２２  第２の横桟、２４  上板部、２５  下板部、２６  前板部、３０，４０  支持具、３１  縦桟固定部、３１ａ，３２ａ、３５ａ，３５ｂ  貫通孔、３２  横桟固定部、３３，４３，５３  腕部、３４  平板部、３５  載置部、３７  前部。
【図１】
0006487245.tif 000002
【図２】
0006487245.tif 000003
【図３】
0006487245.tif 000004
【図４】
0006487245.tif 000005
【図５】
0006487245.tif 000006
【図６】
0006487245.tif 000007
【図７】
0006487245.tif 000008
【図８】
0006487245.tif 000009
【図９】
0006487245.tif 000010
【図１０】
0006487245.tif 000011
【図１１】
0006487245.tif 000012
【図１２】
0006487245.tif 000013
【図１３】
0006487245.tif 000014
【図１４】
0006487245.tif 000015
【図１５】
0006487245.tif 000016
【図１６】
0006487245.tif 000017
【図１７】
0006487245.tif 000018
【図１８】
0006487245.tif 000019
【図１９】
0006487245.tif 000020
【図２０】
0006487245.tif 000021